(57)【要約】【課題】錠剤落下案内通路での錠剤の跳ね返りを防止し、落下時間を短くすることができる錠剤包装装置を提供する。【解決手段】上下方向に多段に設けた錠剤フィーダ８の各錠剤出口１０から斜め下方に落下する錠剤を包装装置に案内する錠剤落下案内通路１２を備えた錠剤包装装置において、上段の錠剤出口１０の下縁またはその近傍から、下段の錠剤出口１０から離れた位置まで斜め下方に延びる跳ね返り防止部材２１を設けた。【選択図】図７
2010149932.tif 000002
【特許請求の範囲】
【請求項１】
上下方向に多段に設けた錠剤フィーダの各錠剤出口から斜め下方に落下する錠剤を包装装置に案内する錠剤落下案内通路を備えた錠剤包装装置において、上段の錠剤出口の下縁またはその近傍から、下段の錠剤出口から離れた位置まで斜め下方に延びる跳ね返り防止部材を設けたことを特徴とする錠剤包装装置。
【請求項２】
前記跳ね返り防止部材は、下半分が垂直部からなることを特徴とする請求項１に記載の錠剤包装装置。
【請求項３】
前記跳ね返り防止部材は、その下端から下段の錠剤出口の上縁まで延びるカバー部を有することを特徴とする請求項１に記載の錠剤包装装置。
【請求項４】
前記跳ね返り防止部材は、錠剤落下案内通路の側壁と一体に形成したことを特徴とする請求項１から３のいずれかに記載の錠剤包装装置。
【発明の詳細な説明】
【技術分野】
【０００１】
本発明は、錠剤包装装置に関する。
【背景技術】
【０００２】
錠剤および散薬を処方データに従って取り出して１回服用分毎に包装紙に包装する薬剤包装装置や、錠剤を取り出してバイアル瓶に充填する錠剤包装装置には、異なる種類の錠剤をそれぞれ収容した複数の錠剤カセットを載置して、当該錠剤カセットから錠剤を１錠づつ取り出す錠剤カセット棚が設けられている。この錠剤カセット棚の背面板には、錠剤カセットから斜め下方に向かう錠剤出口と、該錠剤出口から落下する錠剤を下方に案内する錠剤落下案内通路が形成されている。
【０００３】
このような錠剤落下案内通路には、３つの問題があった。第１に、錠剤落下案内通路を落下する錠剤が下方の錠剤カセットの錠剤出口の斜面に当たって上方に跳ね返り、落下が遅れる結果、包装に間に合わず、次の包装に包装されることがあった。第２に、錠剤出口の斜面で跳ね返った錠剤が錠剤出口内に設けたセンサで検出されて当該錠剤出口から錠剤が排出されたという誤まった判断がなされることがあった。これらの問題に対して、本願出願人は、錠剤落下案内通路の錠剤出口の上縁に該錠剤出口を覆うシート部材を設けて、錠剤落下案内通路を落下する錠剤が錠剤出口の斜面に当たらないようにしたものを公開している（例えば、特許文献１参照）。第３に、錠剤出口を出た錠剤が当該錠剤出口と対向する後壁と背面板との間で跳ね返りながら落下し、落下時間が長くなる結果、やはり包装に間に合わずに次の包装に包装されることがあった。この問題に対しては、錠剤落下案内通路に軟質シートを吊り下げて、この軟質シートに錠剤が当たるようにしたものが提案されている（例えば、特許文献２参照）。
【０００４】
しかし、錠剤出口にシート部材を設けたものでは、冬場の乾燥した状態でシート部材が背面板に張り付き、ここに小さな錠剤が溜まることがあった。また、錠剤落下案内通路や錠剤出口の光センサをブラシ等で清掃する時にシート部材を変形させてしまい、本来のシート部材の機能が失われ、修理にも多大な時間を要していた。一方、落下案内通路に軟質シートを吊り下げたものでは、軟質シートの下端にウェイトが取り付けられているため、軟質シートが垂直を保とうとするので、軽い錠剤は軟質シートで跳ねて従来と同様の問題が生じていた。
【先行技術文献】
【特許文献】
【０００５】
【特許文献１】公技９７−６１１３（発明協会公開技報）
【特許文献２】実公平２−１５７６１号公報
【発明の概要】
【発明が解決しようとする課題】
【０００６】
本発明はかかる従来の問題点に鑑みてなされたもので、錠剤落下案内通路での錠剤の跳ね返りを防止し、落下時間を短くすることができる錠剤包装装置を提供することを課題とするものである。なお、以下に説明する本発明における錠剤包装装置は、錠剤又は散薬を包装紙に包装するものだけでなく、錠剤をバイアル瓶に充填して包装するものも含む。
【課題を解決するための手段】
【０００７】
前記課題を解決するために、第１の発明は、上下方向に多段に設けた錠剤フィーダの各錠剤出口から斜め下方に落下する錠剤を包装装置に案内する錠剤落下案内通路を備えた錠剤包装装置において、前記錠剤落下案内通路の前記錠剤出口と対向する位置に、下方にゆくにつれて錠剤出口から遠ざかるように傾斜した跳ね返り防止部材を設けたものである。
【０００８】
ここで、前記跳ね返り防止部材は、可撓性の板からなることが好ましい。この場合、前記跳ね返り防止部材は、上下端部のいずれか一方の端部を板厚方向に可動に支持し、他方の端部を板厚方向に可動としてもよいし、上下端部のいずれか一方の端部を固定して支持し、他方の端部を板厚方向に可動としてもよい。また、前記跳ね返り防止部材は、着脱可能であることが好ましい。
【０００９】
また、第２の発明は、上下方向に多段に設けた錠剤フィーダの各錠剤出口から斜め下方に落下する錠剤を包装装置に案内する錠剤落下案内通路を備えた錠剤包装装置において、上段の錠剤出口の下縁またはその近傍から、下段の錠剤出口から離れた位置まで斜め下方に延びる跳ね返り防止部材を設けたものである。
【００１０】
ここで、前記跳ね返り防止部材は、下半分が垂直部からなることが好ましい。また、前記跳ね返り防止部材は、その下端から下段の錠剤出口の上縁まで延びるカバー部を有していてもよい。前記跳ね返り防止部材は、錠剤落下案内通路の側壁と一体に形成したことが好ましい。
【００１１】
第３の発明は、上下方向に多段に設けた錠剤フィーダの各錠剤出口から斜め下方に落下する錠剤を包装装置に案内する錠剤落下案内通路を備えた錠剤包装装置において、前記第１発明の跳ね返り防止部材と前記第２発明の跳ね返り防止部材の両方を備えたものである。
【発明の効果】
【００１２】
第１の発明によれば、錠剤落下案内通路の錠剤出口と対向する位置に、下方にゆくにつれて錠剤出口から遠ざかるように傾斜した傾斜面を有する跳ね返り防止部材を設けたので、錠剤の跳ね返り角度が抑えられ、何度も跳ね返ることなく、下方に自由落下させることができ、落下時間を短縮することができる。この結果、錠剤落下案内通路を落下してきた錠剤を早く包装することができ、しかも次の包装に混入する虞れも解消することができ、完全でかつ信頼性のある包装を行なうことができる。
【００１３】
跳ね返り防止部材は、可撓性の板からなるので、錠剤が当たったときの衝撃を緩和し、跳ね返りを抑えることができる。また、跳ね返り防止部材は、上下端部のいずれか一方の端部を板厚方向に可動に支持し、他方の端部を板厚方向に可動とし、あるいは、上下端部のいずれか一方の端部を固定して支持し、他方の端部を板厚方向に可動としたので、錠剤が当たったときに跳ね返り防止板が後退してその衝撃を緩和し、跳ね返りをさらに効果的に抑えることができる。さらに、跳ね返り防止部材は着脱可能としたので、それを取り外すことで、落下案内通路を簡単に清掃することができる。
【００１４】
また、第２の発明は、上段の錠剤出口の下縁またはその近傍から、下段の錠剤出口から離れた位置まで斜め下方に延びる跳ね返り防止部材を設けたので、錠剤が錠剤落下案内通路内で跳ね返って錠剤出口近傍に向かっても、跳ね返り防止部材で全て下方に跳ね返して、下方に自由落下させることができ、落下時間を短縮することができる。この結果、前記第１発明と同様に、錠剤落下案内通路を落下してきた錠剤を早く包装することができ、しかも次の包装に混入する虞れも解消することができ、完全でかつ信頼性のある包装を行なうことができる。
【００１５】
跳ね返り防止部材は、下半分が垂直部からなるので、この垂直部に向かう錠剤を全て下方に跳ね返すことができ、錠剤の落下時間をさらに短縮することができる。また、跳ね返り防止部材は、錠剤落下案内通路の側壁と一体に形成したので、部品点数が減少し、取り付けが簡単になる。
【００１６】
さらに、第３の発明は、第１発明の跳ね返り防止部材と第２発明の跳ね返り防止部材の両方を備えたので、それぞれの相乗効果により、さらに錠剤の落下時間を短縮して、包装速度を早め、次の包装への錠剤の混入も確実に防止することができる。
【図面の簡単な説明】
【００１７】
【図１】本発明にかかる薬剤包装装置の斜視図である。
【図２】第１発明にかかる跳ね返り防止板を備えた錠剤落下案内通路の断面図。
【図３】（ａ）は、図２の錠剤落下案内通路の背面図，（ｂ）は、（ａ）のＩＩＩｂ−ＩＩＩｂ線断面図である。
【図４】（ａ）は、跳ね返り防止板の斜視図、（ｂ）は、跳ね返り防止板の取り付け部を示す拡大図である。
【図５】（ａ）は、跳ね返り防止板を有する錠剤落下案内通路での錠剤の跳ね返り状態を示す概略図、（ｂ）は、跳ね返り防止板を有しない従来の錠剤落下案内通路での錠剤の跳ね返り状態を示す概略図である。
【図６】（ａ）は、跳ね返り防止板の取り付け部の他の例、（ｂ）は、さらに他の例を示す拡大図である。
【図７】（ａ）は、第２発明にかかる跳ね返り防止部材を備えた錠剤落下案内通路の断面図、（ｂ）は、その跳ね返り部材がない錠剤落下案内通路の断面図である。
【図８】図７（ａ）のＶＩＩＩ−ＶＩＩＩ線断面図である。
【図９】第１発明の跳ね返り防止板と第２発明の跳ね返り防止部材を備えた第３発明にかかる錠剤落下案内通路の断面図である。
【発明を実施するための形態】
【００１８】
以下、本発明の実施の形態を添付図面に従って説明する。
図１は、第１発明に係る薬剤包装装置１を示す。この薬剤包装装置１は、背面に錠剤カセット棚２が合体され、上面に錠剤手撒装置３、散薬を投入するＶ枡４および制御装置５が設けられ、正面下部に薬包帯排出部６および該薬包帯排出部６から排出される薬包帯を収容する箱７を有する。
【００１９】
薬剤包装装置１の内部には、図示しないが、前記Ｖ枡４に投入された散薬を分割する分割容器、該分割容器から落下する散薬と前記錠剤手撒装置３から落下する錠剤とを収集するホッパ、該ホッパで収集された薬剤を包装して薬包帯排出部６から排出する包装装置等の公知の装置が設けられている。
【００２０】
錠剤カセット棚２には、複数の錠剤フィーダ（モータベース）８が棚状に多段に取り付けられている。錠剤フィーダ８には、異なる種類の錠剤をそれぞれ収容した複数の錠剤カセット９が載置されている。錠剤カセット９内の錠剤は錠剤フィーダ８を作動させることで図２に示す錠剤出口１０から１個づつ取り出され、錠剤カセット棚２の背面板１１に設けた錠剤落下案内通路１２通ってホッパで収集され、包装装置により包装されるようになっている。
【００２１】
落下案内通路１２は、図３に示すように、背面板１１の錠剤出口１０の両側に位置する２つの側壁１３と、背面板１１の錠剤出口１０と対向する跳ね返り防止板１４とからなっている。側壁１３は、本実施形態では、断面Ｌ字形のステンレス鋼板からなり、背面板１１にネジ止めされている。図４に示すように、側壁１３の上端部には、垂直縁から水平に延びる水平部１５ａと該水平部１５ａの先端から下方に延びる垂直部１５ｂとからなる第１切欠き１５が形成され、下端部には、垂直縁から水平に延びる水平部１６ａと該水平部１６ａの先端から上方に延びる垂直部１６ｂとからなる第２切欠き１６が形成されている。第１切欠き１５の水平部１５ａは第２切欠き１６の水平部１６ａより長く、第１切欠き１５の垂直部１５ｂは第２切欠き１６の垂直部１６ｂより短い。また、第１切欠き１５は、後述する跳ね返り防止板１４の上端の支持棒１７が進入可能な幅であり、第２切欠き１６は、当該跳ね返り防止板１４の下端の係合突起１９が進入可能な幅になっている。
【００２２】
跳ね返り防止板１４は、本実施形態では、図４（ａ）に示すように、透明で可撓性のある樹脂からなり、前記側壁１３の間隔より若干小さな幅の細長い板状に形成されている。跳ね返り防止板１４の上端近傍には、両端が跳ね返り防止板１４の両側縁から突出する長さを有するステンレス丸棒からなる支持棒１７がネジ止めされている。また、跳ね返り防止板１４の下端近傍には、ステンレス鋼鈑からなる係合板１８がネジ止めされている。係合板１８の両側縁には跳ね返り防止板１４の両側縁から突出するように係合突起１９が突設されている。支持棒１７から係合突起１９までの長さは、前記側壁１３の第１切欠き１５の垂直部１５ｂの下端から第２切欠き１６の水平部１６ａまでの長さより短くなっている。
【００２３】
前記跳ね返り防止板１４は、まず下端の係合突起１９を第２切欠き１６の水平部１６ａに挿入して垂直部１６ｂに引き上げた状態で、上端の支持棒１７の両端を第１切欠き１５の水平部１５ａに挿入して垂直部１５ｂに落とし込む。これにより、跳ね返り防止板１４は、下方にゆくにつれて、錠剤カセット棚２の背面板１１の錠剤出口１０から遠ざかるように斜めに取り付けられる。ここで、跳ね返り防止板１４の上端部は支持棒１７と第１切欠き１５の垂直部１５ｂとの隙間分だけ移動可能であり、下端部は係合突起１９と第２切欠き１６の垂直部１６ｂとの隙間分だけ移動可能である。また、跳ね返り防止板１４は可撓性があるため、上端の支持棒１７は、第１切欠き１５の垂直部１５ｂ内である程度回動可能であり、下端の係合突起１９は、上下に移動可能である。
【００２４】
錠剤フィーダ８の錠剤出口１０から落下する錠剤は、図２に示すように、まず跳ね返り防止板１４で跳ね返った後、背面板１１で跳ね返ることなく、そのまま錠剤落下案内通路１２を通って自由落下する。これは、次の２つの理由による。第１に、跳ね返り防止板１４は図５（ａ）に示すように下方にゆくにつれて錠剤出口１０から遠ざかるように斜めに傾斜しているので、図５（ｂ）に示す従来に比べて、跳ね返り角度θが低いためである。第２に、跳ね返り防止板１４は可撓性を有し、かつ、面に垂直方向に移動可能であるので、錠剤が当たったときの衝撃が緩和されるためである。したがって、従来のように錠剤落下案内通路で錠剤が何回も跳ね返るのが防止され、落下時間が短くなり、包装に間に合わせることができる。このため、従来のように、ある錠剤の落下が遅れて次の包装に包装されるといった不具合が無くなる。
【００２５】
図６は、前記跳ね返り防止板１４の支持構造の変形例を示す。図６（ａ）の跳ね返り防止板１４の上端は２つのピン２０ａ，２０ｂの間に挿入されて板厚方向に可動であり、下端は側壁１３にネジ止め、接着剤、両面テープ等の適宜手段により固定されている。図６（ｂ）の跳ね返り防止板１４の上端は側壁１３にネジ止め、接着剤、両面テープ等の適宜手段により固定され、下端はピン２０ｃに当接して板厚方向に可動である。このように、跳ね返り防止板１４が板厚方向に可動であることにより、錠剤が当たったときに、跳ね返り防止板１４が後退し、跳ね返りを抑えることができる。
【００２６】
図７（ａ）は、第２発明の薬剤包装置の落下案内通路１２を示す。この錠剤落下案内通路１２は、各錠剤フィーダ８の錠剤出口１０の上方に跳ね返り防止部材２１を設けたものである。跳ね返り防止部材２１は、合成樹脂からなり、錠剤落下案内通路１２を形成する図８に示す合成樹脂製の両側壁２２と一体に成形され、背面板１１にネジ止めされている。跳ね返り防止部材２１は、上段の錠剤出口１０の下縁またはその近傍から、下段の錠剤出口１０から離れた位置まで斜め下方に延びている。跳ね返り部材２１の上半分は傾斜部２３であり、下半分は錠剤落下案内通路１２に平行に延びる垂直部２４となっている。また、跳ね返り部材２１は、その下端から下段の錠剤出口１０の上縁まで延びるカバー部２５を有している。
【００２７】
仮に、このような跳ね返り防止部材２１が無いとすれば、図７（ｂ）においてａ１コースで示すように、錠剤出口１０の下縁向かった錠剤は上方に跳ね返り、落下時間が遅れたり、ａ２コースで示すように、錠剤出口１０内に設けたセンサ３０に検知されて当該錠剤出口１０から錠剤が排出されたと誤って判断され、誤動作する虞れがある。しかし、この実施形態では、跳ね返り防止部材２１が存在するので、図７（ａ）においてｂコースで示すように、錠剤が錠剤出口１０の下縁に向かっても、跳ね返り防止部材２１の垂直部２４で跳ね返って下方に向かう。また、ｃコースで示すように、跳ね返り防止部材２１の傾斜部２３に向かった錠剤は、当該傾斜部２３で跳ね返って下方に向かう。このように、錠剤出口１０近辺に向かう錠剤は全て下方に跳ね返るので、錠剤落下時間が遅れることなく、包装に間に合わせることができる。このため、本実施形態においても、従来のように、ある錠剤の落下が遅れて次の包装に包装されるといった不具合が無くなる。
【００２８】
図９は、第３発明の薬剤包装置の落下案内通路１２を示す。この錠剤落下案内通路１２では、図１に示す跳ね返り防止板１４と、図７（ａ）に示す跳ね返り防止板２１を有しているので、両者の跳ね返り防止の相乗効果により、錠剤は錠剤落下案内通路１２を迅速に通過して、下方の包装装置に導くことができ、包装速度を高め、次の包装への錠剤の混入等の包装不良も減少させることができる。
【符号の説明】
【００２９】
１  薬剤包装装置
８  錠剤フィーダ
１０  錠剤出口
１１  背面板
１２  錠剤落下案内通路
１４  跳ね返り防止板
２１  跳ね返り防止部材
２３  傾斜部
２４  垂直部
２５  カバー部
【図１】
2010149932.tif 000003
【図２】
2010149932.tif 000004
【図３】
2010149932.tif 000005
【図４】
2010149932.tif 000006
【図５】
2010149932.tif 000007
【図６】
2010149932.tif 000008
【図７】
2010149932.tif 000009
【図８】
2010149932.tif 000010
【図９】
2010149932.tif 000011
【手続補正書】
【提出日】平成22年1月18日(2010.1.18)
【手続補正１】
【補正対象書類名】明細書
【補正対象項目名】全文
【補正方法】変更
【補正の内容】
【発明の詳細な説明】
【技術分野】
【０００１】
本発明は、錠剤包装装置に関する。
【背景技術】
【０００２】
錠剤および散薬を処方データに従って取り出して１回服用分毎に包装紙に包装する薬剤包装装置や、錠剤を取り出してバイアル瓶に充填する錠剤包装装置には、異なる種類の錠剤をそれぞれ収容した複数の錠剤カセットを載置して、当該錠剤カセットから錠剤を１錠づつ取り出す錠剤カセット棚が設けられている。この錠剤カセット棚の背面板には、錠剤カセットから斜め下方に向かう錠剤出口と、該錠剤出口から落下する錠剤を下方に案内する錠剤落下案内通路が形成されている。
【０００３】
このような錠剤落下案内通路には、３つの問題があった。第１に、錠剤落下案内通路を落下する錠剤が下方の錠剤カセットの錠剤出口の斜面に当たって上方に跳ね返り、落下が遅れる結果、包装に間に合わず、次の包装に包装されることがあった。第２に、錠剤出口の斜面で跳ね返った錠剤が錠剤出口内に設けたセンサで検出されて当該錠剤出口から錠剤が排出されたという誤まった判断がなされることがあった。これらの問題に対して、本願出願人は、錠剤落下案内通路の錠剤出口の上縁に該錠剤出口を覆うシート部材を設けて、錠剤落下案内通路を落下する錠剤が錠剤出口の斜面に当たらないようにしたものを公開している（例えば、特許文献１参照）。第３に、錠剤出口を出た錠剤が当該錠剤出口と対向する後壁と背面板との間で跳ね返りながら落下し、落下時間が長くなる結果、やはり包装に間に合わずに次の包装に包装されることがあった。この問題に対しては、錠剤落下案内通路に軟質シートを吊り下げて、この軟質シートに錠剤が当たるようにしたものが提案されている（例えば、特許文献２参照）。
【０００４】
しかし、錠剤出口にシート部材を設けたものでは、冬場の乾燥した状態でシート部材が背面板に張り付き、ここに小さな錠剤が溜まることがあった。また、錠剤落下案内通路や錠剤出口の光センサをブラシ等で清掃する時にシート部材を変形させてしまい、本来のシート部材の機能が失われ、修理にも多大な時間を要していた。一方、落下案内通路に軟質シートを吊り下げたものでは、軟質シートの下端にウェイトが取り付けられているため、軟質シートが垂直を保とうとするので、軽い錠剤は軟質シートで跳ねて従来と同様の問題が生じていた。
【先行技術文献】
【特許文献】
【０００５】
【特許文献１】公技９７−６１１３（発明協会公開技報）
【特許文献２】実公平２−１５７６１号公報
【発明の概要】
【発明が解決しようとする課題】
【０００６】
本発明はかかる従来の問題点に鑑みてなされたもので、錠剤落下案内通路での錠剤の跳ね返りを防止し、落下時間を短くすることができる錠剤包装装置を提供することを課題とするものである。なお、以下に説明する本発明における錠剤包装装置は、錠剤又は散薬を包装紙に包装するものだけでなく、錠剤をバイアル瓶に充填して包装するものも含む。
【課題を解決するための手段】
【０００７】
前記課題を解決するために、本発明は、上下方向に多段に設けた錠剤フィーダの各錠剤出口から斜め下方に落下する錠剤を包装装置に案内する錠剤落下案内通路を備えた錠剤包装装置において、上段の錠剤出口の下縁またはその近傍から、下段の錠剤出口から離れた位置まで斜め下方に延びる跳ね返り防止部材を設けたものである。
【０００８】
ここで、前記跳ね返り防止部材は、下半分が垂直部からなることが好ましい。また、前記跳ね返り防止部材は、その下端から下段の錠剤出口の上縁まで延びるカバー部を有していてもよい。前記跳ね返り防止部材は、錠剤落下案内通路の側壁と一体に形成したことが好ましい。
【発明の効果】
【０００９】
本発明によれば、上段の錠剤出口の下縁またはその近傍から、下段の錠剤出口から離れた位置まで斜め下方に延びる跳ね返り防止部材を設けたので、錠剤が錠剤落下案内通路内で跳ね返って錠剤出口近傍に向かっても、跳ね返り防止部材で全て下方に跳ね返して、下方に自由落下させることができ、落下時間を短縮することができる。この結果、前記第１発明と同様に、錠剤落下案内通路を落下してきた錠剤を早く包装することができ、しかも次の包装に混入する虞れも解消することができ、完全でかつ信頼性のある包装を行なうことができる。
【００１０】
跳ね返り防止部材は、下半分が垂直部からなるので、この垂直部に向かう錠剤を全て下方に跳ね返すことができ、錠剤の落下時間をさらに短縮することができる。また、跳ね返り防止部材は、錠剤落下案内通路の側壁と一体に形成したので、部品点数が減少し、取り付けが簡単になる。
【図面の簡単な説明】
【００１１】
【図１】本発明にかかる薬剤包装装置の斜視図である。
【図２】跳ね返り防止板を備えた錠剤落下案内通路の断面図。
【図３】（ａ）は、図２の錠剤落下案内通路の背面図，（ｂ）は、（ａ）のＩＩＩｂ−ＩＩＩｂ線断面図である。
【図４】（ａ）は、跳ね返り防止板の斜視図、（ｂ）は、跳ね返り防止板の取り付け部を示す拡大図である。
【図５】（ａ）は、跳ね返り防止板を有する錠剤落下案内通路での錠剤の跳ね返り状態を示す概略図、（ｂ）は、跳ね返り防止板を有しない従来の錠剤落下案内通路での錠剤の跳ね返り状態を示す概略図である。
【図６】（ａ）は、跳ね返り防止板の取り付け部の他の例、（ｂ）は、さらに他の例を示す拡大図である。
【図７】（ａ）は、本発明にかかる跳ね返り防止部材を備えた錠剤落下案内通路の断面図、（ｂ）は、その跳ね返り部材がない錠剤落下案内通路の断面図である。
【図８】図７（ａ）のＶＩＩＩ−ＶＩＩＩ線断面図である。
【図９】図２の跳ね返り防止板と図７（ａ）の跳ね返り防止部材を備えた錠剤落下案内通路の断面図である。
【発明を実施するための形態】
【００１２】
以下、本発明の実施の形態を添付図面に従って説明する。
図１は、本発明に係る薬剤包装装置１を示す。この薬剤包装装置１は、背面に錠剤カセット棚２が合体され、上面に錠剤手撒装置３、散薬を投入するＶ枡４および制御装置５が設けられ、正面下部に薬包帯排出部６および該薬包帯排出部６から排出される薬包帯を収容する箱７を有する。
【００１３】
薬剤包装装置１の内部には、図示しないが、前記Ｖ枡４に投入された散薬を分割する分割容器、該分割容器から落下する散薬と前記錠剤手撒装置３から落下する錠剤とを収集するホッパ、該ホッパで収集された薬剤を包装して薬包帯排出部６から排出する包装装置等の公知の装置が設けられている。
【００１４】
錠剤カセット棚２には、複数の錠剤フィーダ（モータベース）８が棚状に多段に取り付けられている。錠剤フィーダ８には、異なる種類の錠剤をそれぞれ収容した複数の錠剤カセット９が載置されている。錠剤カセット９内の錠剤は錠剤フィーダ８を作動させることで図２に示す錠剤出口１０から１個づつ取り出され、錠剤カセット棚２の背面板１１に設けた錠剤落下案内通路１２通ってホッパで収集され、包装装置により包装されるようになっている。
【００１５】
落下案内通路１２は、図３に示すように、背面板１１の錠剤出口１０の両側に位置する２つの側壁１３と、背面板１１の錠剤出口１０と対向する跳ね返り防止板１４とからなっている。側壁１３は、本実施形態では、断面Ｌ字形のステンレス鋼板からなり、背面板１１にネジ止めされている。図４に示すように、側壁１３の上端部には、垂直縁から水平に延びる水平部１５ａと該水平部１５ａの先端から下方に延びる垂直部１５ｂとからなる第１切欠き１５が形成され、下端部には、垂直縁から水平に延びる水平部１６ａと該水平部１６ａの先端から上方に延びる垂直部１６ｂとからなる第２切欠き１６が形成されている。第１切欠き１５の水平部１５ａは第２切欠き１６の水平部１６ａより長く、第１切欠き１５の垂直部１５ｂは第２切欠き１６の垂直部１６ｂより短い。また、第１切欠き１５は、後述する跳ね返り防止板１４の上端の支持棒１７が進入可能な幅であり、第２切欠き１６は、当該跳ね返り防止板１４の下端の係合突起１９が進入可能な幅になっている。
【００１６】
跳ね返り防止板１４は、本実施形態では、図４（ａ）に示すように、透明で可撓性のある樹脂からなり、前記側壁１３の間隔より若干小さな幅の細長い板状に形成されている。跳ね返り防止板１４の上端近傍には、両端が跳ね返り防止板１４の両側縁から突出する長さを有するステンレス丸棒からなる支持棒１７がネジ止めされている。また、跳ね返り防止板１４の下端近傍には、ステンレス鋼鈑からなる係合板１８がネジ止めされている。係合板１８の両側縁には跳ね返り防止板１４の両側縁から突出するように係合突起１９が突設されている。支持棒１７から係合突起１９までの長さは、前記側壁１３の第１切欠き１５の垂直部１５ｂの下端から第２切欠き１６の水平部１６ａまでの長さより短くなっている。
【００１７】
前記跳ね返り防止板１４は、まず下端の係合突起１９を第２切欠き１６の水平部１６ａに挿入して垂直部１６ｂに引き上げた状態で、上端の支持棒１７の両端を第１切欠き１５の水平部１５ａに挿入して垂直部１５ｂに落とし込む。これにより、跳ね返り防止板１４は、下方にゆくにつれて、錠剤カセット棚２の背面板１１の錠剤出口１０から遠ざかるように斜めに取り付けられる。ここで、跳ね返り防止板１４の上端部は支持棒１７と第１切欠き１５の垂直部１５ｂとの隙間分だけ移動可能であり、下端部は係合突起１９と第２切欠き１６の垂直部１６ｂとの隙間分だけ移動可能である。また、跳ね返り防止板１４は可撓性があるため、上端の支持棒１７は、第１切欠き１５の垂直部１５ｂ内である程度回動可能であり、下端の係合突起１９は、上下に移動可能である。
【００１８】
錠剤フィーダ８の錠剤出口１０から落下する錠剤は、図２に示すように、まず跳ね返り防止板１４で跳ね返った後、背面板１１で跳ね返ることなく、そのまま錠剤落下案内通路１２を通って自由落下する。これは、次の２つの理由による。第１に、跳ね返り防止板１４は図５（ａ）に示すように下方にゆくにつれて錠剤出口１０から遠ざかるように斜めに傾斜しているので、図５（ｂ）に示す従来に比べて、跳ね返り角度θが低いためである。第２に、跳ね返り防止板１４は可撓性を有し、かつ、面に垂直方向に移動可能であるので、錠剤が当たったときの衝撃が緩和されるためである。したがって、従来のように錠剤落下案内通路で錠剤が何回も跳ね返るのが防止され、落下時間が短くなり、包装に間に合わせることができる。このため、従来のように、ある錠剤の落下が遅れて次の包装に包装されるといった不具合が無くなる。
【００１９】
図６は、前記跳ね返り防止板１４の支持構造の変形例を示す。図６（ａ）の跳ね返り防止板１４の上端は２つのピン２０ａ，２０ｂの間に挿入されて板厚方向に可動であり、下端は側壁１３にネジ止め、接着剤、両面テープ等の適宜手段により固定されている。図６（ｂ）の跳ね返り防止板１４の上端は側壁１３にネジ止め、接着剤、両面テープ等の適宜手段により固定され、下端はピン２０ｃに当接して板厚方向に可動である。このように、跳ね返り防止板１４が板厚方向に可動であることにより、錠剤が当たったときに、跳ね返り防止板１４が後退し、跳ね返りを抑えることができる。
【００２０】
図７（ａ）は、本発明による薬剤包装置の落下案内通路１２を示す。この錠剤落下案内通路１２は、各錠剤フィーダ８の錠剤出口１０の上方に跳ね返り防止部材２１を設けたものである。跳ね返り防止部材２１は、合成樹脂からなり、錠剤落下案内通路１２を形成する図８に示す合成樹脂製の両側壁２２と一体に成形され、背面板１１にネジ止めされている。跳ね返り防止部材２１は、上段の錠剤出口１０の下縁またはその近傍から、下段の錠剤出口１０から離れた位置まで斜め下方に延びている。跳ね返り部材２１の上半分は傾斜部２３であり、下半分は錠剤落下案内通路１２に平行に延びる垂直部２４となっている。また、跳ね返り部材２１は、その下端から下段の錠剤出口１０の上縁まで延びるカバー部２５を有している。
【００２１】
仮に、このような跳ね返り防止部材２１が無いとすれば、図７（ｂ）においてａ１コースで示すように、錠剤出口１０の下縁向かった錠剤は上方に跳ね返り、落下時間が遅れたり、ａ２コースで示すように、錠剤出口１０内に設けたセンサ３０に検知されて当該錠剤出口１０から錠剤が排出されたと誤って判断され、誤動作する虞れがある。しかし、この実施形態では、跳ね返り防止部材２１が存在するので、図７（ａ）においてｂコースで示すように、錠剤が錠剤出口１０の下縁に向かっても、跳ね返り防止部材２１の垂直部２４で跳ね返って下方に向かう。また、ｃコースで示すように、跳ね返り防止部材２１の傾斜部２３に向かった錠剤は、当該傾斜部２３で跳ね返って下方に向かう。このように、錠剤出口１０近辺に向かう錠剤は全て下方に跳ね返るので、錠剤落下時間が遅れることなく、包装に間に合わせることができる。このため、本実施形態においても、従来のように、ある錠剤の落下が遅れて次の包装に包装されるといった不具合が無くなる。
【００２２】
図９は、錠剤落下案内通路１２に、図１に示す跳ね返り防止板１４と、図７（ａ）に示す跳ね返り防止板２１を設けたものである。この構成によると、両者の跳ね返り防止の相乗効果により、錠剤は錠剤落下案内通路１２を迅速に通過して、下方の包装装置に導くことができ、包装速度を高め、次の包装への錠剤の混入等の包装不良も減少させることができる。
【符号の説明】
【００２３】
１  薬剤包装装置
８  錠剤フィーダ
１０  錠剤出口
１２  錠剤落下案内通路
２１  跳ね返り防止部材
２３  傾斜部
２４  垂直部
２５  カバー部